【手続補正書】
【提出日】平成20年12月16日(2008.12.16)
【手続補正１】
【補正対象書類名】特許請求の範囲
【補正対象項目名】全文
【補正方法】変更
【補正の内容】
【特許請求の範囲】
【請求項１】
サンプルモードとラッチモードとを有し、第１コンパレータ入力と、第２コンパレータ入力と、出力とを有するコンパレータであって、
ラッチモードの間、前記第１コンパレータ入力と前記第２コンパレータ入力との間の差を示す差動信号を再生するためのクロス接続された再生ラッチを具備し、
前記クロス接続された再生ラッチは、
第１、第２抵抗と、
前記第１抵抗と直列に接続されて第１抵抗ダイオードペアを形成する第１共鳴トンネルダイオード、および前記第２抵抗と直列に接続されて第２抵抗ダイオードペアを形成する第２共鳴トンネルダイオードと、
第１、第２トランジスタであって、前記第１トランジスタのコレクタおよび前記第２トランジスタのベースは前記第１抵抗ダイオードペアの第１端子と接続され、前記第２トランジスタのコレクタおよび前記第１トランジスタのベースは前記第２抵抗ダイオードペアの第１端子と接続され、前記第１トランジスタのエミッタは前記第２トランジスタのエミッタと接続される、第１、第２トランジスタと、
前記第１抵抗ダイオードペアの第２端子と接続された第３トランジスタと、
前記第２抵抗ダイオードペアの第２端子と接続された第４トランジスタと、
前記コンパレータを前記サンプルモードと前記ラッチモードとの間で切り替えるための電流切り替え回路と、
を具備し、前記第３、第４トランジスタは、前記サンプルモードの間、前記差動信号を前記ラッチへと接続し、前記ラッチモードの間、ラッチ状態を前記出力に接続するためのカスコード増幅器として動作可能である、
コンパレータ。
【請求項２】
前記電流切り替え回路と接続された第１電流生成器をさらに具備し、前記電流切り替え回路は、前記ラッチモードの間、電流を前記第１電流生成器から前記再生ラッチへと誘導する、請求項１のコンパレータ。
【請求項３】
前記電流切り替え回路は、サンプルモードの間電流を前記第１電流生成器から前記第３、第４バイポーラトランジスタへと誘導してサンプルモードの間前記第３、第４トランジスタをバイアスする、請求項２のコンパレータ。
【請求項４】
前記第３、第４トランジスタと接続され、前記ラッチモードの間第１、第２入力信号を受け取るとともに前記第１、第２入力信号を前記再生ラッチから分離する入力バッファをさらに具備する、請求項２のコンパレータ。
【請求項５】
前記電流切り替え回路と接続された第２電流生成器をさらに具備し、前記電流切り替え回路は、前記ラッチモードの間、電流を前記第２電流生成器から前記再生ラッチへと誘導する、請求項２のコンパレータ。
【請求項６】
前記第１、第２コンパレータ入力の差を増幅して入力差信号を形成し、サンプルモードの間前記入力差信号を前記再生ラッチに供給するように接続された差動増幅器をさらに具備する、請求項１のコンパレータ。
【請求項７】
前記第１、第２トランジスタは、ヘテロ接合バイポーラトランジスタ、バイポーラトランジスタ、電界効果型トランジスタからなる群から選択される、請求項６のコンパレータ。
【請求項８】
前記第１、第２トランジスタは、金属酸化物半導体電界効果型トランジスタ、接合電界効果型トランジスタ、金属半導体電界効果型トランジスタからなる群から選択される、請求項７のコンパレータ。
【請求項９】
それぞれが第１端子、第２端子、制御端子を有する第１、第２、第３、第４、第５、第６、第７トランジスタと、
電流源と、
直列接続されたトンネルダイオードおよび抵抗を各々が具備する第１、第２抵抗ダイオードペアと、
を具備し、
前記第１トランジスタの前記第１端子は前記第２トランジスタの前記制御端子と接続され、前記第２トランジスタの前記第１端子は前記第１トランジスタの前記制御端子と接続され、前記第２トランジスタの前記第２端子は前記第１トランジスタの前記第２端子と接続され、
前記第１抵抗ダイオードペアの第１端子は前記第１トランジスタの前記第１端子と接続され、前記第２抵抗ダイオードペアの第１端子は前記第２トランジスタの前記第１端子と接続され、
前記第１抵抗ダイオードペアの第２端子は前記第５トランジスタの前記第２端子と接続され、前記第２抵抗ダイオードペアの第２端子は前記第６トランジスタの前記第２端子と接続され、
前記電流源は前記第３トランジスタの前記第２端子と接続され、前記第３トランジスタの前記第１端子は前記第１、第２トランジスタの前記第２端子と接続され、前記電流源は前記第４トランジスタの前記第２端子および前記第７トランジスタの前記第２端子と接続され、
前記第４トランジスタの前記第１端子は、サンプルモードの間、前記第５トランジスタの前記第２端子にバイアス電流を供給するように接続される、
コンパレータ。
【請求項１０】
前記第７トランジスタの前記第１端子は、サンプルモードの間、前記第６トランジスタの前記第２端子にバイアス電流を供給するように接続される、請求項９のコンパレータ。
【請求項１１】
前記第７トランジスタの前記第１端子は前記第６トランジスタの前記第２端子にバイアス電流を供給するように接続され、前記第７トランジスタの前記第２端子は前記第４トランジスタの前記第２端子と接続され、前記第７トランジスタの前記制御端子は前記第４トランジスタの前記制御端子と接続される、請求項９のコンパレータ。
【請求項１２】
それぞれが第１端子、第２端子、制御端子を有する第１、第２、第３、第４、第５、第６、第７トランジスタと、
電流源と、
直列なトンネルダイオードおよび抵抗を各々が具備する第１、第２抵抗ダイオードペアと、
を具備し、
前記第１トランジスタの前記第１端子は前記第２トランジスタの前記制御端子と接続され、前記第２トランジスタの前記第１端子は前記第１トランジスタの前記制御端子と接続され、前記第２トランジスタの前記第２端子は前記第１トランジスタの前記第２端子と接続され、
前記第１抵抗ダイオードペアの第１端子は前記第１トランジスタの前記第１端子と接続され、前記第２抵抗ダイオードペアの第１端子は前記第２トランジスタの前記第１端子と接続され、
前記第１抵抗ダイオードペアの第２端子は前記第５トランジスタの前記第２端子と接続され、前記第２抵抗ダイオードペアの第２端子は前記第６トランジスタの前記第２端子と接続され、
前記電流源は前記第３トランジスタの前記第２端子と接続され、前記第３トランジスタの前記第１端子は前記第１、第２トランジスタの前記第２端子と接続され、前記電流源は前記第４トランジスタの前記第２端子および前記第７トランジスタの前記第２端子と接続され、
前記第４トランジスタの前記第１端子は、前記第５トランジスタの前記第２端子にバイアス電流を供給するように接続され、
前記第７トランジスタの前記第１端子は、前記第６トランジスタの前記第２端子にバイアス電流を供給するように接続される、
コンパレータ。
【請求項１３】
それぞれが第１端子、第２端子、制御端子を有する第１、第２、第３、第４、第５、第６トランジスタと、
電流源と、
第１、第２トンネルダイオードと、
を具備し、
前記第１トランジスタの前記第１端子は前記第２トランジスタの前記制御端子と接続され、前記第２トランジスタの前記第１端子は前記第１トランジスタの前記制御端子と接続され、前記第２トランジスタの前記第２端子は前記第１トランジスタの前記第２端子と接続され、
前記第１トンネルダイオードの第１端子は前記第１トランジスタの前記第１端子と接続され、前記第２トンネルダイオードの第１端子は前記第２トランジスタの前記第１端子と接続され、
前記第１トンネルダイオードの第２端子は前記第５トランジスタの前記第２端子と接続され、前記第２トンネルダイオードの第２端子は前記第６トランジスタの前記第２端子と接続され、
前記電流源は前記第３トランジスタの前記第２端子と接続され、前記第３トランジスタの前記第１端子は前記第１、第２トランジスタの前記第２端子と接続され、前記電流源は前記第４トランジスタの前記第２端子と接続され、
前記第４トランジスタの前記第１端子は、前記第５トランジスタの前記第２端子にバイアス電流を供給するために接続される、
コンパレータ。
【請求項１４】
第７トランジスタをさらに具備し、
前記第７トランジスタの第１端子は、前記第６トランジスタの前記第２端子にバイアス電流を供給するように接続され
前記第７トランジスタの第２端子は、前記電流源に接続される、
請求項１３のコンパレータ。
【請求項１５】
前記第４トランジスタの前記第１端子は、前記第５トランジスタの前記第２端子に抵抗を介してバイアス電流を供給するために接続され、
前記第４トランジスタの前記第１端子は、前記第６トランジスタの前記第２端子に抵抗を介してバイアス電流を供給するために接続される、
請求項１３のコンパレータ。
【請求項１６】
前記第１トンネルダイオードの前記第１端子は、前記第１トランジスタの前記第１端子に抵抗を介して接続され、
前記第２トンネルダイオードの前記第１端子は、前記第２トランジスタの前記第１端子に抵抗を介して接続される、
請求項１３のコンパレータ。
【請求項１７】
前記第１トンネルダイオードの前記第２端子は、前記第５トランジスタの前記第２端子に抵抗を介して接続され、
前記第２トンネルダイオードの前記第２端子は、前記第６トランジスタの前記第２端子に抵抗を介して接続される、
請求項１３のコンパレータ。
【請求項１８】
前記コンパレータは、インジウムリンへテロ接合バイポーラトランジスタを用いて作製される、請求項１３のコンパレータ。
【請求項１９】
前記コンパレータは、シリコンバイポーラトランジスタを用いて作製される、請求項１３のコンパレータ。